【手続補正書】
【提出日】平成22年3月3日(2010.3.3)
【手続補正１】
【補正対象書類名】明細書
【補正対象項目名】特許請求の範囲
【補正方法】変更
【補正の内容】
【特許請求の範囲】
【請求項１】
ネットワークを介して情報処理装置と接続されるサーバ装置であって、
前記サーバ装置が前記ネットワークを介して前記情報処理装置と通信するために必要なネットワーク設定情報を入力する入力手段と、
前記入力手段により入力されたネットワーク設定情報に基づいて、前記情報処理装置に備えられ、当該情報処理装置が前記ネットワークを介して前記サーバ装置と通信するために用いられる第１のネットワークインターフェースに対して設定すべき第１のネットワークアドレスを決定する第１の決定手段と、
前記第１の決定手段により決定された前記第１のネットワークアドレスを、前記第１のネットワークインターフェースに設定させる第１の設定手段と、
を備えることを特徴とするサーバ装置。
【請求項２】
前記入力手段により入力されたネットワーク設定情報に基づいて、前記サーバ装置に備えられ、当該サーバ装置が前記ネットワークを介して前記情報処理装置と通信するために用いられる第２のネットワークインターフェースに対して設定すべき第２のネットワークアドレスを決定する第２の決定手段と、
前記第２の決定手段により決定された前記第２のネットワークアドレスを、前記第２のネットワークインターフェースに設定する第２の設定手段と、
を更に備えることを特徴とする請求項１に記載のサーバ装置。
【請求項３】
前記入力手段は、前記サーバ装置が提供するユーザインターフェースを介して受け付けたユーザからの指示に基づいて、前記ネットワーク設定情報を入力することを特徴とする請求項１または２に記載のサーバ装置。
【請求項４】
前記ネットワークとは異なる他のネットワークを介して前記サーバ装置が外部装置と通信するために用いられる第３のネットワークインターフェースを更に備え、
前記入力手段は、前記第３のネットワークインターフェースを介して前記外部装置から受信した前記ネットワーク設定情報を入力することを特徴とする請求項１または２に記載のサーバ装置。
【請求項５】
前記第１の設定手段は、ＳＮＭＰプロトコルを用いて前記第１のネットワークインターフェースに対する前記第１のネットワークアドレスの設定を行うことを特徴とする請求項１から４のいずれか１項に記載のサーバ装置。
【請求項６】
ネットワークを介して情報処理装置と接続されるサーバ装置であって、
前記ネットワーク上の装置が使用可能なネットワークアドレスのアドレス範囲を示すネットワークアドレス情報を入力する入力手段と、
前記入力手段により入力されたネットワークアドレス情報に基づいて、前記サーバ装置に備えられ、当該サーバ装置が前記ネットワークを介して前記情報処理装置と通信するために用いられる第１のネットワークインターフェースに対して設定すべき第１のネットワークアドレスを決定する第１の決定手段と、
前記入力手段により入力されたネットワークアドレス情報に基づいて、前記情報処理装置に備えられ、当該情報処理装置が前記ネットワークを介して前記サーバ装置と通信するために用いられる第２のネットワークインターフェースに対して設定すべき第２のネットワークアドレスとして、前記第１のネットワークアドレスとは異なるネットワークアドレスを決定する第２の決定手段と、
を備えることを特徴とするサーバ装置。
【請求項７】
前記第１の決定手段は、前記入力手段により入力されたネットワークアドレス情報が示すアドレス範囲の最初の値を前記第１のネットワークアドレスとして決定することを特徴とする請求項６に記載のサーバ装置。
【請求項８】
前記第２の決定手段は、前記第１のネットワークアドレスの値に１を加えた値を前記第２のネットワークアドレスとして決定することを特徴とする請求項６または７に記載のサーバ装置。
【請求項９】
ネットワークを介して情報処理装置と接続されるサーバ装置の制御方法であって、
前記サーバ装置が前記ネットワークを介して前記情報処理装置と通信するために必要なネットワーク設定情報を入力する入力工程と、
前記入力工程で入力されたネットワーク設定情報に基づいて、前記情報処理装置に備えられ、当該情報処理装置が前記ネットワークを介して前記サーバ装置と通信するために用いられる第１のネットワークインターフェースに対して設定すべき第１のネットワークアドレスを決定する第１の決定工程と、
前記第１の決定工程で決定された前記第１のネットワークアドレスを、前記第１のネットワークインターフェースに設定させる第１の設定工程と、
を備えることを特徴とするサーバ装置の制御方法。
【請求項１０】
前記入力工程で入力されたネットワーク設定情報に基づいて、前記サーバ装置に備えられ、当該サーバ装置が前記ネットワークを介して前記情報処理装置と通信するために用いられる第２のネットワークインターフェースに対して設定すべき第２のネットワークアドレスを決定する第２の決定工程と、
前記第２の決定工程で決定された前記第２のネットワークアドレスを、前記第２のネットワークインターフェースに設定する第２の設定工程と、
を更に備えることを特徴とする請求項９に記載のサーバ装置の制御方法。
【請求項１１】
前記入力工程では、前記サーバ装置が提供するユーザインターフェースを介して受け付けたユーザからの指示に基づいて、前記ネットワーク設定情報を入力することを特徴とする請求項９または１０に記載のサーバ装置の制御方法。
【請求項１２】
前記サーバ装置は、前記ネットワークとは異なる他のネットワークを介して前記サーバ装置が外部装置と通信するために用いられる第３のネットワークインターフェースを備え、
前記入力工程では、前記第３のネットワークインターフェースを介して前記外部装置から受信した前記ネットワーク設定情報を入力することを特徴とする請求項９または１０に記載のサーバ装置の制御方法。
【請求項１３】
前記第１の設定工程では、ＳＮＭＰプロトコルを用いて前記第１のネットワークインターフェースに対する前記第１のネットワークアドレスの設定を行うことを特徴とする請求項９から１２のいずれか１項に記載のサーバ装置の制御方法。
【請求項１４】
ネットワークを介して情報処理装置と接続されるサーバ装置の制御方法であって、
前記ネットワーク上の装置が使用可能なネットワークアドレスのアドレス範囲を示すネットワークアドレス情報を入力する入力工程と、
前記入力工程で入力されたネットワークアドレス情報に基づいて、前記サーバ装置に備えられ、当該サーバ装置が前記ネットワークを介して前記情報処理装置と通信するために用いられる第１のネットワークインターフェースに対して設定すべき第１のネットワークアドレスを決定する第１の決定工程と、
前記入力工程で入力されたネットワークアドレス情報に基づいて、前記情報処理装置に備えられ、当該情報処理装置が前記ネットワークを介して前記サーバ装置と通信するために用いられる第２のネットワークインターフェースに対して設定すべき第２のネットワークアドレスとして、前記第１のネットワークアドレスとは異なるネットワークアドレスを決定する第２の決定工程と、
を備えることを特徴とするサーバ装置の制御方法。
【請求項１５】
前記第１の決定工程では、前記入力工程で入力されたネットワークアドレス情報が示すアドレス範囲の最初の値を前記第１のネットワークアドレスとして決定することを特徴とする請求項１４に記載のサーバ装置の制御方法。
【請求項１６】
前記第２の決定工程では、前記第１のネットワークアドレスの値に１を加えた値を前記第２のネットワークアドレスとして決定することを特徴とする請求項１４または１５に記載のサーバ装置の制御方法。
【請求項１７】
請求項９から１６のいずれか１項に記載のサーバ装置の制御方法をコンピュータに実行させるためのプログラム。
【請求項１８】
請求項９から１６のいずれか１項に記載のサーバ装置の制御方法をコンピュータに実行させるためのプログラムを記憶したコンピュータ読み取り可能な記憶媒体。
【手続補正２】
【補正対象書類名】明細書
【補正対象項目名】００１３
【補正方法】変更
【補正の内容】
【００１３】
【課題を解決するための手段】
本発明に係るサーバ装置は、以下の特徴的構成を備える。
ネットワークを介して情報処理装置と接続されるサーバ装置であって、前記サーバ装置が前記ネットワークを介して前記情報処理装置と通信するために必要なネットワーク設定情報を入力する入力手段と、前記入力手段により入力されたネットワーク設定情報に基づいて、前記情報処理装置に備えられ、当該情報処理装置が前記ネットワークを介して前記サーバ装置と通信するために用いられる第１のネットワークインターフェースに対して設定すべき第１のネットワークアドレスを決定する第１の決定手段と、前記第１の決定手段により決定された前記第１のネットワークアドレスを、前記第１のネットワークインターフェースに設定させる第１の設定手段と、を備えることを特徴とする。
【手続補正３】
【補正対象書類名】明細書
【補正対象項目名】００１６
【補正方法】変更
【補正の内容】
【００１６】
本発明に係るサーバ装置の制御方法は、以下の特徴的構成を備える。
ネットワークを介して情報処理装置と接続されるサーバ装置の制御方法であって、前記サーバ装置が前記ネットワークを介して前記情報処理装置と通信するために必要なネットワーク設定情報を入力する入力工程と、前記入力工程で入力されたネットワーク設定情報に基づいて、前記情報処理装置に備えられ、当該情報処理装置が前記ネットワークを介して前記サーバ装置と通信するために用いられる第１のネットワークインターフェースに対して設定すべき第１のネットワークアドレスを決定する第１の決定工程と、前記第１の決定工程で決定された前記第１のネットワークアドレスを、前記第１のネットワークインターフェースに設定させる第１の設定工程とを備えることを特徴とする。